(57)【要約】【課題】黒色塗装等の表面処理を施すことなく、車体に取り付けたときに見栄えが良いレーダ装置を提供する。【解決手段】ハウジング４０は、車両１０に取り付けられ、レーダ波を通過させる開口６０が形成された開口部６１を有している。ハウジング４０の内部には、レーダ波の送信及び受信を行う基板７０が収容されている。レドーム５０は蓋部５１と側部５３とを備えている。蓋部５１は、レーダ波を透過する暗色系の材料により形成され、開口部６１を覆っている。側部５３は、暗色系の材料により形成され、ハウジング４０を車両１０に取り付けたときに外部から見える範囲であって、少なくとも蓋部５１を除いた範囲を覆っている。【選択図】図２
2013190275.tif 000002
【特許請求の範囲】
【請求項１】
車両に取り付けられ、レーダ波を通過させる開口が形成された開口部を有するハウジングと、
前記ハウジングの内部に収容され、前記レーダ波の送信又は受信のうち少なくとも一方を行うレーダ部と、
レーダ波を透過し暗色系の色を有する材料により形成され、前記開口部を覆う第一カバー部と、
前記ハウジングを前記車両に取り付けたときに外部から見える範囲であって、少なくとも前記第一カバーを除いた範囲を覆い、暗色系の色を有する材料により形成された第二カバー部と、
を備えることを特徴とするレーダ装置。
【請求項２】
前記第二カバー部は、前記第一カバー部と一体に形成されていることを特徴とする請求項１に記載のレーダ装置。
【請求項３】
前記第二カバー部を形成する材料は、前記第一カバー部を形成する材料と同じであることを特徴とする請求項１または２に記載のレーダ装置。
【発明の詳細な説明】
【技術分野】
【０００１】
本発明は、車載用のレーダ装置に関する。
【背景技術】
【０００２】
従来、車両の走行安全性を向上させる制御等のために、車両周囲に存在する障害物等を検知する車載用のレーダ装置が知られている。この種のレーダ装置では、例えば、開口部が形成されたハウジングの内部にアンテナ等の電磁波や光を送受信する装置が収容されており、これらの装置を雨滴や汚れ等の外部環境から保護して性能劣化を抑制するために、開口部がレドームによって覆われている。（特許文献１参照）。
【先行技術文献】
【特許文献】
【０００３】
【特許文献１】特開２００１−４２０２５号公報
【発明の概要】
【発明が解決しようとする課題】
【０００４】
ところで、レドームは、電波が透過する材料により形成され、黒色であることが一般的である。これに対し、ハウジングは、金属により形成され、銀色等の金属色であることが多い。
【０００５】
このようなレーダ装置を車両に取り付ける場合、金属色のハウジングが露出して見えてしまうことがあり、見栄えが悪いという問題があった。
そこで、車両の美観を損ねないために、ハウジングには黒色塗装などの表面処理が施されている。
【０００６】
しかしながら、このような表面処理は、製造工数を増加させる要因となっており、問題となっていた。
本発明は、こうした問題に鑑みなされたものであり、車体に取り付けたときに見栄えが良いレーダ装置を低コストで提供することを目的とする。
【課題を解決するための手段】
【０００７】
上記目的を達成するためになされた発明である請求項１に記載のレーダ装置では、ハウジングは、車両に取り付けられ、レーダ波を通過させる開口が形成された開口部を有している。レーダ部は、ハウジングの内部に収容され、レーダ波の送信又は受信のうち少なくとも一方を行う。
【０００８】
開口部は、レーダ波が透過し暗色系の色を有する材料により形成された第一カバー部によって覆われている。ここで特に、ハウジングを車両に取り付けたときに外部から見える範囲であって少なくとも第一カバーを除いた範囲は、暗色系の色を有する材料により形成された第二カバー部によって覆われている。
【０００９】
このように構成された本発明のレーダ装置は、車両に取り付けられた場合、ハウジングが露出して見えることが無いため、見栄えにおいて優れたものとなる。
またこれにより、例えばハウジングが暗色以外の色である場合にも、ハウジングに黒色塗装などの表面処理を施すこと無く、レーダ装置を暗色に見せることができる。表面処理に要する手間や労力を低減できるため、見栄えの良いレーダ装置を低コストで提供することができる。
【００１０】
また、第一カバー部および第二カバー部は、請求項２に記載のように一体に形成されてもよく、請求項３に記載のように同じ材料で形成されてもよい。いずれにおいても、第一カバー部および第二カバー部の製造に要する手間や労力を低減することができる。
【図面の簡単な説明】
【００１１】
【図１】実施形態のレーダ装置が車体に取り付けられた様子を示す模式図である。
【図２】実施形態のレーダ装置の構成を示す模式図である。
【図３】従来のレーダ装置の構成を示す模式図である。
【発明を実施するための形態】
【００１２】
以下に本発明の実施形態を図面と共に説明する。なお、以下では、車両の進行方向に対して前側を単に「前」と称する。
＜全体構成＞
図１に示すように、本実施形態のレーダ装置１は、車両１０の前端部３０に取り付けられており、この前端部３０はグリル部２０により覆われている。レーダ装置１は、グリル部２０に設けられているエンブレム２５の裏側に位置するように取り付けられている。
【００１３】
レーダ装置１は、図２に示すように、レーダを通過させる開口６０が形成された開口部６１を有し、有底筒状に形成されているハウジング４０と、開口部６１を覆うレドーム５０とを備えている。
【００１４】
ハウジング４０は、アルミダイカスト製であり、金属色（銀色）である。開口部６１は、レーダ装置１を車両に取り付けたときに前となる方向に開口している。以下では、開口６０が形成されている面を開口面６３と称し、該開口面６３と反対方向の面を取付面６５と称する。ハウジング４０の内部には、レーダ波の送信及び受信を行う基板７０が収容されている。
【００１５】
レドーム５０は電磁波を透過させる樹脂により形成されている。本実施形態では、この樹脂に黒色系の着色材を含有させており、レドーム５０の色を不透明な黒色としている。
レドーム５０は、開口部６１を覆う蓋部５１と、ハウジング４０の側面を覆う側部５３とからなる。ここで、ハウジング４０における開口面６３および取付面６５以外の面を側面と称するものとする。つまり、レーダ装置１を車両１０に取り付けたときに、ハウジング４０のグリル部２０の隙間から見える範囲を覆うように側部５３が形成されている。なお、側部５３は、蓋部５１と同じ材料で、蓋部５１と一体に形成されている。
【００１６】
これにより、グリル部２０を介してレーダ装置１を見た場合、グリル部２０の正面、側面、上面、および下面から見たいずれの場合にもハウジング４０が露出して見えることが無いため、レーダ装置１は黒一色に見える。
【００１７】
＜効果＞
以上説明したように、本実施形態のレーダ装置１は、車両１０に取り付けられた場合、ハウジング４０が露出して見えることが無いため、黒一色に見え、見栄えにおいて優れたものとなる。
【００１８】
つまり、本実施形態のレーダ装置１は、車両に取り付けられた場合、レドーム５５に側部５３が設けられていないレーダ装置９（図３参照）の様にハウジング４０が露出して見えて見栄えが悪くなってしまうということを防止できる。
【００１９】
また、本実施形態のレーダ装置１では、ハウジング４０が暗色ではない場合にも、ハウジング４０に黒色塗装などの表面処理を施す事無くレーダ装置１を黒一色に見せることができるため、表面処理に要する手間や労力を低減することができる。結果として、コストダウンを実現することができる。
【００２０】
＜請求項との対応＞
本実施形態における蓋部５１が特許請求の範囲における「第一カバー部」に相当し、側部５３が特許請求の範囲における「第二カバー部」に相当し、基板７０が特許請求の範囲における「レーダ部」に相当する。
【００２１】
＜他の実施形態＞
以上、本発明の実施形態について説明したが、本発明は上記実施形態に限定されるものではなく、本発明の要旨を逸脱しない範囲にて様々な態様で実施することが可能である。
【００２２】
（イ）上記実施形態ではレドーム５０は蓋部５１と側部５５とが一体に形成されていたが、レドームは、蓋部と側部とが別体に形成されていてもよい。
（ロ）上記実施形態ではレドーム５０は蓋部５１と側部５３とが同じ材料で形成されていたが、レドームは、第一カバー部と第二カバー部とが異なる材料により形成されていてもよい。
【００２３】
（ハ）上記実施形態では、レーダ装置１が車両１０に取り付けられたときに外部から見える範囲の全てをレドーム５０の側部５５により覆っていたが、側部は、必ずしも外部から見える範囲の全てを覆う必要はない。レーダ装置の取付位置、および内部の形状等により見え方が異なるので、ハウジングの露出によって外部から見たときの美観を損ねない程度に、レーダ装置が側部によって覆われていれば良い。
【００２４】
（二）上記実施形態ではレーダ装置１はエンブレム２５の裏側に取り付けられていたが、レーダ装置の取付位置はこれに限るものではない。
（ホ）上記実施形態では、レドーム５０は不透明な黒色の樹脂により形成されていた。レドームは、必ずしも黒色である必要は無いが、美観を損ねない観点から、濃灰色や濃紺色などの明度が低い暗色系の色であることが望ましい。
【符号の説明】
【００２５】
１・・・レーダ装置  １０・・・車両  ３０・・・前端部  ４０・・・ハウジング  ５０・・・レドーム  ５１・・・蓋部  ５３・・・側部  ６０・・・開口  ６１・・・開口部  ７０・・・基板
【図１】
2013190275.tif 000003
【図２】
2013190275.tif 000004
【図３】
2013190275.tif 000005